(57)【要約】【課題】ズボンを折りたたんでハンガーに掛けても、ポケットのなかの物が落ちずにすみ、また、ハンガーの汎用性を高めたハンガーを提供する。【解決手段】フック１を備えるハンガー本体２と、ハンガー本体２から垂直下向きに伸びる左右２本の固定支柱３と、両固定支柱３の下端に固定された水平バー４と、水平バー４に２つの可動部５、を介して所定角度開き可能に支持された２本の可動支柱６と、両可動支柱６の上端に固定された水平バー７を備え、ハンガー本体２の水平バー２Ａおよび可動支柱６側の水平バー７に、ズボンの上部および下部をはさむための２本のクリップ８を設ける。リング９をハンガー本体２の水平バー２Ａに設ける。【選択図】図１
2015181756.tif 000002
【特許請求の範囲】
【請求項１】
フック１を備えるハンガー本体２と、ハンガー本体２から垂直下向きに伸びる左右２本の固定支柱３、３と、固定支柱３、３の下端に固定された水平バー４と、水平バー４に可動部５、５を介して所定角度開き可能に支持された２本の可動支柱６、６と、可動支柱６、６の上端に固定された水平バー７を備え、ハンガー本体２の水平バー２Ａおよび可動支柱６、６側の水平バー７に、ズボンの上部および下部をはさむためのクリップ８、８が設けられていることを特徴とするハンガー。
【請求項２】
ハンガー本体２の水平バー２Ａにベルトを掛けるためのリング９が設けられていることを特徴とする請求項１記載のハンガー。
【発明の詳細な説明】
【技術分野】
【０００１】
本発明は、着替えの際を考慮して、かつ汎用性を高めたハンガーに関するものである。
【背景技術】
【０００２】
従来のハンガーは、ズボンを掛けその上から上着を掛けることができ、しわをのばしたり、上着を干す上では充分であった。従来のハンガーの例として、上着を懸ける本体部とズボンを懸ける懸装杆が設けられたスーツハンガー（特許文献１）がある。
【０００３】
しかし、従来のハンガーは、以下のような欠点があった
（イ）着替えをし、脱いだ服を掛ける際、ズボンのポケットに入っている物が落ちてしまう。
（ロ）ズボンを掛けた状態では、ベルトを掛けるスペースがなくなってしまう。
（ハ）ズボンを折りたたんで掛けてしまうと通気性が悪くなってしまう。
（二）ズボンを折りたたんで掛けてもある程度の高さが必要となる。
【０００４】
この欠点により、従来のハンガーではズボンを掛けると、ポケットのなかの物を取り出さなければならない。よって、ポケットに収納していた物を、別の場所に収納しなければならないという問題が起こりえる。また、ズボンからベルトを外して掛ける場合に別のハンガー等を準備する必要がある。ズボンをハンガーの懸装杆に懸けて干すと、通気性が悪く、乾燥の効率も悪く、固定されていない為，落下する可能性もある。ある程度の高さがないと地面にズボンがついてしまうという問題も起こりえる。
【０００５】
この改善策として、ハンガー自体にポケットを設置し、そのポケットに物を収納するという方法がある。しかし、この方法でも、ポケットのなかの物を取り出す作業が必要となる。
【先行技術文献】
【特許文献】
【０００６】
【特許文献１】特開２０１０−１４８５５７号公報
【発明の概要】
【発明が解決しようとする課題】
【０００７】
本発明が解決しようとする問題点は、以下の点である。
（イ）ズボンを折りたたんで掛ける際、ポケットの部分が逆さまになり、入っている物が落ちてしまうという点
（ロ）支柱にズボンを折りたたんで掛けると支柱にベルトを掛けるスペースがなくなってしまう点
（ハ）ズボンを折りたたんで掛けるとズボンの上部と下部が密になってしまい、通気性が悪くなってしまう点
（二）ズボンを折りたたんで掛けても高さが必要である点
【０００８】
本発明は上記課題を解決するためになされたもので、ズボンを折りたたんでハンガーに掛けても、ポケットのなかの物が落ちずにすみ、また、ハンガーの汎用性を高めたハンガーを提供することを目的とする。
【課題を解決するための手段】
【０００９】
本発明に係るハンガーは、フック１を備えるハンガー本体２と、ハンガー本体２から垂直下向きに伸びる左右２本の固定支柱３と、２本の固定支柱３の下端に固定された水平バー４と、水平バー４に可動部５を介して所定角度開き可能に支持された２本の可動支柱６と、２本の可動支柱６の上端に固定された水平バー７を備え、ハンガー本体２の水平バー２Ａと可動支柱６側の水平バー７に、ズボンの上部および下部をはさむためのクリップ８をそれぞれ設けたことを最も主要な特徴とする。
【００１０】
本発明に係るハンガーは、ハンガー本体２の水平バー２Ａにベルトを掛けるためのリング９を設けたことを第２の特徴とする。
【発明の効果】
【００１１】
本発明のハンガーによると、ハンガーの可動部５から開き、２本の固定支柱３、下部の水平バー４、２本の可動支柱６でＶ字型を作り、両側のクリップ８でズボンの上下を挟むことにより、ズボンをポケットの部分が逆さになることなく掛けることができ、それによってポケットに入っている物が落ちないという利点がある。また、Ｖ字の可動支柱６が必要でない時は、可動部５によりコンパクトに折りたたむことが出来るので、Ｖ字の可動支柱６が邪魔になることはない。
【００１２】
また、本発明のハンガーによると、リングを設けたことにより、ベルトを横向きに掛けることを可能にし、ベルトを掛けるスペースを確保できる。
【図面の簡単な説明】
【００１３】
【図１】ハンガーの表面を示した立体図である。
【図２】ハンガーの裏面を示した立体図である。
【図３】ズボン類を懸けた状態の説明図である。
【図４】ズボン類を懸けた状態の説明図である。
【図５】ベルトを懸けた状態の説明図である。
【発明を実施するための形態】
【００１４】
本発明に係るハンガーを実施するための最良の形態について、図１と図２を参照しながら説明する。図中、符号１０はハンガーを示している。
【００１５】
図１および図２に示すように、ハンガー１０は、フック１を備えるハンガー本体２と、ハンガー本体２の水平バー２Ａから垂直下向きに伸びる左右２本の固定支柱３、３と、２本の固定支柱３、３の下端に固定された水平バー４と、水平バー４に２か所の可動部５、５を介して所定角度開き可能に支持された２本の可動支柱６、６と、２本の可動支柱６、６の上端に固定された水平バー７を備えている。２本の可動支柱６、６は、２本の固定支柱３、３の内側に位置している。
【００１６】
また、ハンガー本体２の水平バー２Ａには、ズボンＰの上部をはさむための２本のクリップ８、８が設けられ、２本の可動支柱６、６側の水平バー７には、ズボンＰの下部（裾）をはさむための２本のクリップ８、８が設けられている。さらに、ハンガー本体２の水平バー２Ａには、中央にベルトを横向きに掛けるためのリング９が設けられている。
【００１７】
２か所の可動部５、５は、２本の固定支柱３、３に対し、２本の可動支柱６、６をＶ字型に開くことを可能とし、かつ、所望の角度で２本の可動支柱６、６を固定できるようになっている。
【００１８】
上記構成のハンガー１０によれば、２本の固定支柱３、３、下部の水平バー４、２本の可動支柱６、６がＶ字型になるように可動部５、５から開き、ズボンＰの上部をハンガー本体２側のクリップ８、８ではさみ、ズボンＰの下部を可動支柱６、６の上端の水平バー７のクリップ８、８ではさむことで、ズボンＰを掛けることができる。そして、Ｖ字型にすることによってできた間のスペースを利用して、リング９にベルトＢを掛けることができる。
【実施例１】
【００１９】
脱いだ服など乾燥済みの服を掛ける場合について以下に説明する。
【００２０】
まず、ハンガーの可動部５、５から開き、固定支柱３、３、下部の水平バー４、可動支柱６、６でＶ字型を作る。次に、リング９にベルトＢを通して掛ける。最後に、ハンガー本体２に付いているクリップ８、８と可動支柱６、６側に付いているクリップ８、８でズボンＰをはさみ、ズボンＰをＵ字になるよう掛け、そのうえから、上着を掛ける。
【産業上の利用可能性】
【００２１】
本発明に係るハンガーは、ズボンや上着を掛けるためのハンガーとして利用可能である。
【符号の説明】
【００２２】
１  フック
２  ハンガー本体
２Ａ、４、７  水平バー
３  固定支柱
５  可動部
６  可動支柱
８  クリップ
９  リング
１０  ハンガー
【図１】
2015181756.tif 000003
【図２】
2015181756.tif 000004
【図３】
2015181756.tif 000005
【図４】
2015181756.tif 000006
【図５】
2015181756.tif 000007
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
フック（１）を備えるハンガー本体（２）と、ハンガー本体（２）から垂直下向きに伸びる左右２本の固定支柱（３）、（３）と、固定支柱（３）、（３）の下端に固定された水平バー（４）と、水平バー（４）に可動部（５）、（５）を介して前記２本の固定支柱（３）、（３）、下部の水平バー（４）とでＶ字型を作る角度に展開可能に支持された２本の可動支柱（６）、（６）と、可動支柱（６）、（６）の上端に固定された水平バー（７）を備え、ハンガー本体（２）の水平バー（２Ａ）および可動支柱（６）、（６）側の水平バー（７）に、ズボンの上部および下部をはさむためのクリップ（８）、（８）が設けられていることを特徴とするハンガー。
【手続補正２】
【補正対象書類名】明細書
【補正対象項目名】０００９
【補正方法】変更
【補正の内容】
【０００９】
本発明に係るハンガーは、フック（１）を備えるハンガー本体（２）と、ハンガー本体（２）から垂直下向きに伸びる左右２本の固定支柱（３）と、２本の固定支柱（３）の下端に固定された水平バー（４）と、水平バー（４）に可動部（５）を介して前記２本の固定支柱（３）、（３）、下部の水平バー（４）とでＶ字型を作る角度に展開可能に支持された２本の可動支柱（６）と、２本の可動支柱（６）の上端に固定された水平バー（７）を備え、ハンガー本体（２）の水平バー（２Ａ）と可動支柱（６）側の水平バー（７）に、ズボンの上部および下部をはさむためのクリップ（８）をそれぞれ設けたことを最も主要な特徴とする。